【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
ソレノイドの状態を制御するリレーと、
バルブポジショナと、を備えており、前記バルブポジショナがさらに、
前記リレーにソレノイド検査信号を伝送するトランスミッタと、
１つ以上のワイヤを通じて前記ソレノイド検査信号と前記リレーとを通信可能に連結する電気接点と、
前記ソレノイド検査信号を生成し、前記ソレノイド検査信号を前記リレーに伝送したときの前記ソレノイドの反応をモニタして、前記ソレノイドの動作を検証するソレノイドテスタと、を備えている、バルブ位置制御装置。
【請求項２】
プロセス制御バルブと、
安全計装システム（ＳＩＳ）のコントローラと、をさらに備えており、前記安全計装システム（ＳＩＳ）のコントローラは、前記ソレノイドに送る電力供給信号を選択し、前記電力供給信号の前記選択に答える前記プロセス制御バルブの位置をモニタすることにより、前記プロセス制御バルブの安全動作を検査し、前記リレーは、前記ソレノイド検査信号を受信すると、前記選択した電力供給信号と前記ソレノイドとの電気的結合を遮断する、請求項１に記載のバルブ位置制御装置。
【請求項３】
前記バルブポジショナは、ソレノイドプランジャの位置を表す信号を受信する受信機をさらに備えており、前記ソレノイドテスタは、前記受信信号に基づいて前記ソレノイドの動作を検証する、請求項１又は２に記載のバルブ位置制御装置。
【請求項４】
前記バルブポジショナは、前記ソレノイドに関連するソレノイドバルブの空気圧力出力の圧力を表す信号を受信する受信機をさらに備えており、前記ソレノイドテスタは、前記受信信号に基づいて前記ソレノイドバルブの動作を検証する、請求項１〜３の何れか一項に記載のバルブ位置制御装置。
【請求項５】
前記バルブポジショナは、
バルブ位置制御信号を受信する受信機と、
前記受信したバルブ位置制御信号に応答して、プロセス制御バルブの位置を制御するバルブ位置コントローラと、をさらに備えている、請求項１〜４の何れか一項に記載のバルブ位置制御装置。
【請求項６】
前記バルブポジショナは、
前記１つ以上のワイヤを通じてバルブ位置制御信号を受信する受信機と、
前記受信したバルブ位置制御信号に応答して、プロセス制御バルブの位置を制御するバルブ位置コントローラと、をさらに備えており、
前記トランスミッタは、ハイウェイアドレス可能遠隔トランスデューサ（ＨＡＲＴ）トランスミッタを備えており、前記ソレノイド検査信号はＨＡＲＴ制御信号を含む、請求項１〜５の何れか一項に記載のバルブ位置制御装置。
【請求項７】
前記リレーに通信可能に連結されており、前記１つ以上のワイヤを通じて前記トランスミッタから前記ソレノイド検査信号を受信し、前記ソレノイド検査信号に応答して、前記リレーの状態を制御するＨＡＲＴトランスデューサをさらに備えている、請求項６に記載のバルブ位置制御装置。
【請求項８】
電力供給遮断制御信号を選択して、安全計装システム（ＳＩＳ）のソレノイドの状態を選択することと、
１つ以上のワイヤを通じてバルブコントローラからリレーに電力供給遮断制御信号を伝送して、前記選択した状態に応じた前記ＳＩＳソレノイドを構成することと、
前記選択した状態に対する前記ＳＩＳソレノイドの反応をモニタして、前記ＳＩＳソレノイドの動作を検証することと、を含む、方法。
【請求項９】
前記１つ以上のワイヤを通じてバルブ位置制御信号を受信することと、
前記受信したバルブ位置制御信号に応答してプロセス制御バルブの位置を制御することと、をさらに含む、請求項８に記載の方法。
【請求項１０】
前記リレーへの前記電力供給遮断制御信号の伝送は、前記リレーの状態を変化させて、前記ＳＩＳソレノイドへの電力供給信号を遮断する、請求項８又は９に記載の方法。
【請求項１１】
前記選択した状態に対する前記ＳＩＳソレノイドの反応のモニタは、
前記ＳＩＳソレノイドにおけるソレノイドの現状を表す信号を受信することと、
前記選択した状態に対する前記ＳＩＳソレノイドに、前記電力供給遮断制御信号を設定したか否かを、前記受信信号に基づいて決定することと、を含む、請求項８〜１０の何れか一項に記載の方法。
【請求項１２】
前記バルブ位置制御信号は、第１のハイウェイアドレス可能遠隔トランスデューサ（ＨＡＲＴ）コマンドを含み、前記電力供給遮断制御信号は第２のＨＡＲＴコマンドを含む、請求項８〜１１の何れか一項に記載の方法。
【手続補正２】
【補正対象書類名】明細書
【補正対象項目名】００２４
【補正方法】変更
【補正の内容】
【００２４】
図１および図２に示す例とは異なり、図３の例示のプロセス制御システム３００では、例示のトランスミッタ２２５は、同一のコンタクト、ターミナルおよび／またはコネクタ２１０を通じてＳＳＲ１６５に制御信号１７０を伝送する。これらは、例示のワイヤ１３０を介して、プロセスコントローラ１２５と受信機２１５とを電気的に連結する。このようにして、ワイヤ３０４および３０６は、ワイヤ１３０と、フィルタ３１５の対応するターミナル、コンタクトまたはコネクタ３１０各々とを電気的に接続する。換言すれば、プロセスコントローラ１２５、例示の受信機２１５、例示のトランスミッタ２２５、および例示のフィルタ３１５は、同一の通信バス１３０，３０４，３０６を通じて連絡する。一部の例では、信号および／またはコマンドは、４〜２０ｍＡのループ電流を用いて共用バス１３０，３０４，３０６において通信する。例示の受信機２１５および例示のフィルタ３１５は、それぞれ、ＨＡＲＴ受信機を備えており、例示のトランスミッタ２２５はＨＡＲＴトランスミッタを備えている。
【手続補正３】
【補正対象書類名】明細書
【補正対象項目名】００２５
【補正方法】変更
【補正の内容】
【００２５】
例示のフィルタ３１５は、ワイヤ３０４および３０６を通じて受信したＨＡＲＴコマンドにフィルタをかけて、ソレノイドバルブ検査コマンド１７０を識別および／または検出する。例示のフィルタ３１５は、バス３０４，３０６におけるソレノイド検査コマンド１７０を検出すると、ＳＳＲ１６５の状態を変化させる。一部の例では、第１のＨＡＲＴコマンドを用いてＳＳＲ１６５を第１の状態に変化させ、第２のＨＡＲＴコマンドを用いてＳＳＲ１６５を第２または異なる状態に変化させる。他の例では、ＳＳＲ１６５の第１の状態と第２の状態とを切り替えるＨＡＲＴコマンドを用いてもよい。本明細書に記載した特定の例は、ＨＡＲＴ通信および／またはコマンドを実施するが、本明細書に開示する方法および装置は、任意の数および／または１種類以上の追加的および／または代替的な１つ以上の通信プロトコルおよび／またはコマンドを用いてもよい。例えば、Ｆｏｕｎｄａｔｉｏｎ  Ｆｉｅｌｄｂｕｓおよび／またはＰｒｏｆｉｂｕｓに関連するものを用いてもよい。
【手続補正４】
【補正対象書類名】明細書
【補正対象項目名】００３４
【補正方法】変更
【補正の内容】
【００３４】
プロセッサプラットフォームＰ１００は、インターフェース回路Ｐ１３０をさらに含む。インターフェース回路Ｐ１３０は、外部メモリインターフェース、シリアルポート、汎用入力／出力装置などの任意の種類のインターフェース規格に従い実施され得る。１つ以上の入力デバイスＰ１３５および１つ以上の出力デバイスＰ１４０は、インターフェース回路Ｐ１３０に接続される。入力デバイスＰ１３５は、例えば、例示の受信機２１５および２４０を実施するために用いられ得る。出力デバイスＰ１４０は、例えば、例示のトランスミッタ２２５を実施するのに用いられ得る。
【手続補正５】
【補正対象書類名】図面
【補正対象項目名】図３
【補正方法】変更
【補正の内容】
【図３】
2013516018.tif 000001
【手続補正６】
【補正対象書類名】図面
【補正対象項目名】図４
【補正方法】変更
【補正の内容】
【図４】
2013516018.tif 000002